(57)【要約】【課題】記録媒体の両面に画像を形成する場合に、ユーザーが意図した仕上がりになるか否かを判断可能な画像を表示する。【解決手段】画像形成装置１００は、用紙Ｐの表面及び裏面に形成される各画像のプレビュー画像ＰＶを表示する。画像形成装置１００は、ディスプレー４１１、表示部５０３、受付部５０２及び指示部５０４を備える。表示部５０３は、用紙Ｐの表面に形成される表面画像ＭＵを示す表面プレビュー画像ＰＶＵをディスプレー４１１に表示する。受付部５０２は、所定の操作を受け付ける。指示部５０４は、用紙Ｐの表面に表面画像ＭＵを形成し、用紙Ｐの裏面に裏面画像ＭＤを形成する。表示部５０３は、所定の操作を受付部５０２が受け付けた場合に、裏面画像ＭＤを示す裏面プレビュー画像ＰＶＤを、用紙Ｐの表面側から用紙Ｐを透かして裏面画像ＭＤを見た画像としてディスプレー４１１に表示する。【選択図】図３
2018158500.tif 000002
【特許請求の範囲】
【請求項１】
記録媒体の表面及び裏面にそれぞれ形成される各画像のプレビュー画像を表示する表示制御装置であって、
ディスプレーと、
前記記録媒体の表面に形成される表面画像を示す表面プレビュー画像を前記ディスプレーに表示する表示部と、
所定の操作を受け付ける受付部と
を備え、
前記表示部は、前記所定の操作を前記受付部が受け付けた場合に、前記表面プレビュー画像に換えて、前記記録媒体の裏面に形成される裏面画像を示す裏面プレビュー画像を、前記記録媒体の表面側から前記記録媒体を透かして前記裏面画像を見た画像として前記ディスプレーに表示する、表示制御装置。
【請求項２】
タッチセンサーを更に備え、
前記受付部は、前記所定の操作として、前記タッチセンサーを介して長押し又は強押しを受け付ける、請求項１に記載の表示制御装置。
【請求項３】
前記受付部は、前記所定の操作の終了を受け付け、
前記表示部は、前記所定の操作の終了を前記受付部が受け付けた場合に、前記表面プレビュー画像を前記ディスプレーに表示する、請求項１又は請求項２に記載の表示制御装置。
【請求項４】
前記表示部は、複数の前記記録媒体の各々の前記表面画像を示す複数の前記表面プレビュー画像を所定方向に並べて前記ディスプレーに表示し、
前記受付部は、前記複数の表面プレビュー画像のうち、いずれか１つの表面プレビュー画像に対する前記所定の操作を受け付け、
前記表示部は、前記１つの表面プレビュー画像に対する前記所定の操作を前記受付部が受け付けた場合に、前記１つの表面プレビュー画像に換えて、前記１つの表面プレビュー画像に対応する前記裏面プレビュー画像を前記ディスプレーに表示する、請求項１から請求項３のいずれか１項に記載の表示制御装置。
【請求項５】
記録媒体の表面及び裏面に形成される各画像のプレビュー画像を表示する表示制御方法であって、
前記記録媒体の表面に形成される表面画像を示す表面プレビュー画像をディスプレーに表示する表面表示ステップと、
所定の操作を受け付ける受付ステップと、
前記受付ステップの後に、前記表面プレビュー画像に換えて、前記記録媒体の裏面に形成される裏面画像を示す裏面プレビュー画像を、前記記録媒体の表面側から前記記録媒体を透かして前記裏面画像を見た画像として前記ディスプレーに表示する裏面表示ステップと
を含む、表示制御方法。
【請求項６】
記録媒体の表面及び裏面に形成される各画像のプレビュー画像を表示する画像形成装置であって、
ディスプレーと、
前記記録媒体の表面に形成される表面画像を示す表面プレビュー画像を前記ディスプレーに表示する表示部と、
所定の操作を受け付ける受付部と、
前記記録媒体の表面に前記表面画像を形成し、前記記録媒体の裏面に裏面画像を形成する画像形成部と
を備え、
前記表示部は、前記所定の操作を前記受付部が受け付けた場合に、前記表面プレビュー画像に換えて、前記裏面画像を示す裏面プレビュー画像を、前記記録媒体の表面側から前記記録媒体を透かして前記裏面画像を見た画像として前記ディスプレーに表示する、画像形成装置。
【発明の詳細な説明】
【技術分野】
【０００１】
本発明は、プレビュー画像をディスプレーに表示する表示制御装置、表示制御方法、及び画像形成装置に関する。
【背景技術】
【０００２】
特許文献１に記載のプリントシステムは、ホストコンピューターとプリンターとを備える。ホストコンピューターは、プレビューアーを備える。プレビューアーは、プレビュー画像をディスプレーに表示する。具体的には、プレビューアーは、用紙の両面に画像を形成する場合に、用紙の表面に形成される表面画像と、用紙の裏面に形成される裏面画像とを重ねて表示する。
【先行技術文献】
【特許文献】
【０００３】
【特許文献１】特開２００７−２５０００２号公報
【発明の概要】
【発明が解決しようとする課題】
【０００４】
しかしながら、特許文献１に記載のプリントシステムでは、表面画像と裏面画像とを重ねて表示するため、表面画像の内容及び裏面画像の内容の少なくとも一方を確認し難い可能性がある。その結果、ユーザーが意図した仕上がりになるか否かを判断できない可能性がある。
【０００５】
本発明は、上記課題に鑑みてなされたものであり、記録媒体の両面に画像を形成する場合に、ユーザーが意図した仕上がりになるか否かを判断可能なプレビュー画像を表示する表示制御装置、表示制御方法、及び画像形成装置を提供することを目的としている。
【課題を解決するための手段】
【０００６】
本発明の表示制御装置は、記録媒体の表面及び裏面にそれぞれ形成される各画像のプレビュー画像を表示する。前記表示制御装置は、ディスプレー、表示部、及び受付部を備える。前記表示部は、前記記録媒体の表面に形成される表面画像を示す表面プレビュー画像を前記ディスプレーに表示する。前記受付部は、所定の操作を受け付ける。前記表示部は、前記所定の操作を前記受付部が受け付けた場合に、前記表面プレビュー画像に換えて、前記記録媒体の裏面に形成される裏面画像を示す裏面プレビュー画像を、前記記録媒体の表面側から前記記録媒体を透かして前記裏面画像を見た画像として前記ディスプレーに表示する。
【０００７】
本発明の表示制御方法は、記録媒体の表面及び裏面に形成される各画像のプレビュー画像を表示する。前記表示制御方法は、表面表示ステップと、受付ステップと、裏面表示ステップとを含む。前記表面表示ステップでは、前記記録媒体の表面に形成される表面画像を示す表面プレビュー画像をディスプレーに表示する。前記受付ステップでは、所定の操作を受け付ける。前記裏面表示ステップでは、前記受付ステップの後に、前記表面プレビュー画像に換えて、前記記録媒体の裏面に形成される裏面画像を示す裏面プレビュー画像を、前記記録媒体の表面側から前記記録媒体を透かして前記裏面画像を見た画像として前記ディスプレーに表示する。
【０００８】
本発明の画像形成装置は、記録媒体の表面及び裏面に形成される各画像のプレビュー画像を表示する。前記画像形成装置は、ディスプレー、表示部、受付部、及び画像形成部を備える。前記表示部は、前記記録媒体の表面に形成される表面画像を示す表面プレビュー画像を前記ディスプレーに表示する。前記受付部は、所定の操作を受け付ける。前記表示部は、前記所定の操作を前記受付部が受け付けた場合に、前記表面プレビュー画像に換えて、前記記録媒体の裏面に形成される裏面画像を示す裏面プレビュー画像を、前記記録媒体の表面側から前記記録媒体を透かして前記裏面画像を見た画像として前記ディスプレーに表示する。前記画像形成部は、前記記録媒体の表面に前記表面画像を形成し、前記記録媒体の裏面に前記裏面画像を形成する。
【発明の効果】
【０００９】
本発明の画像形成装置によれば、記録媒体の両面に画像を形成する場合に、ユーザーが意図した仕上がりになるか否かを判断可能な画像を表示できる。
【図面の簡単な説明】
【００１０】
【図１】本発明の実施形態に係る画像形成装置の構成の一例を示す図である。
【図２】画像形成装置の要部の構成の一例を示す図である。
【図３】本発明の実施形態に係る制御部の構成の一例を示す図である。
【図４】プレビュー画面の一例を示す図である。（ａ）は、表面プレビュー画像の一例を示す画面図である。（ｂ）は、裏面プレビュー画像の一例を示す画面図である。
【図５】複数枚の用紙のプレビュー画面の一例を示す図である。（ａ）は、表面プレビュー画像の一例を示す画面図である。（ｂ）は、表面プレビュー画像及び裏面プレビュー画像の一例を示す画面図である。
【図６】制御部の処理の一例を示すフローチャートである。
【発明を実施するための形態】
【００１１】
以下、本発明の実施形態について、図面（図１〜図６）を参照しながら説明する。なお、図中、同一又は相当部分については同一の参照符号を付して説明を繰り返さない。
【００１２】
まず、図１を参照して、本発明の実施形態に係る画像形成装置１００の構成について説明する。図１は、画像形成装置１００の構成を示す図である。図１に示すように、画像形成装置１００は複合機である。画像形成装置１００は、画像形成ユニット１、画像読取ユニット２、原稿搬送ユニット３、操作表示部４及び制御部５を備える。
【００１３】
画像形成ユニット１は、用紙Ｐに画像を形成する。画像読取ユニット２は、原稿Ｒに形成された画像を読み取る。原稿搬送ユニット３は、原稿Ｒを画像読取ユニット２に供給する。操作表示部４は、ユーザーからの操作を受け付けると共に、種々の情報を表示する。制御部５は、画像形成装置１００の動作を制御する。
【００１４】
画像形成ユニット１は、給送部１２、搬送部Ｌ、トナー供給部１３、画像形成実行部１４、定着部１６及び排出部１７を備える。画像形成実行部１４は、転写部１５を含む。画像形成ユニット１は、「画像形成部」の一例に相当する。
【００１５】
給送部１２は、用紙Ｐを搬送部Ｌへ供給する。搬送部Ｌは、用紙Ｐを転写部１５及び定着部１６を経由して排出部１７まで搬送する。用紙Ｐは、「記録媒体」の一例に相当する。
【００１６】
トナー供給部１３は、画像形成実行部１４にトナーを供給する。画像形成実行部１４は、用紙Ｐに画像を形成する。
【００１７】
転写部１５は、中間転写ベルト１５４を備える。画像形成実行部１４が、中間転写ベルト１５４上にシアン色、マゼンタ色、イエロー色、及び黒色のトナー像を転写する。複数色のトナー像が中間転写ベルト１５４上で重畳され、中間転写ベルト１５４上に画像が形成される。転写部１５は、中間転写ベルト１５４上に形成された画像を、用紙Ｐ上に転写する。その結果、用紙Ｐに画像が形成される。
【００１８】
定着部１６は、用紙Ｐを加熱及び加圧し、用紙Ｐに形成された画像を用紙Ｐに定着する。排出部１７は、用紙Ｐを画像形成装置１００の外部へ排出する。
【００１９】
画像読取ユニット２は、画像読取部２１を備える。画像読取部２１は、ＬＥＤ（Ｌｉｇｈｔ  Ｅｍｉｔｔｉｎｇ  Ｄｉｏｄｅ）、コンタクトガラス、結像レンズ、及びイメージセンサーを備え、これらの各部材が一体化されたＣＩＳ（Ｃｏｎｔａｃｔ  Ｉｍａｇｅ  Ｓｅｎｓｏｒ）ユニットである。
【００２０】
操作表示部４は、タッチパネル４１を備える。
【００２１】
次に、図１及び図２を参照して、画像形成装置１００の要部の構成について説明する。図２は、画像形成装置１００の要部の構成の一例を示す図である。図２に示すように、タッチパネル４１は、ディスプレー４１１及びタッチセンサー４１２を備える。ディスプレー４１１は、例えば、ＬＣＤ（Ｌｉｑｕｉｄ  Ｃｒｙｓｔａｌ  Ｄｉｓｐｌａｙ）を備え、種々の画像を表示する。タッチセンサー４１２は、ユーザーの操作を受け付ける。タッチセンサー４１２は、例えばディスプレー４１１の表示面上に配置される。
【００２２】
また、制御部５は、プロセッサー５Ａ及び記憶部５Ｂを備える。プロセッサー５Ａは、例えばＣＰＵ（Ｃｅｎｔｒａｌ  Ｐｒｏｃｅｓｓｉｎｇ  Ｕｎｉｔ）を備える。記憶部５Ｂは、半導体メモリーのようなメモリーを備え、ＨＤＤ（Ｈａｒｄ  Ｄｉｓｋ  Ｄｒｉｖｅ）を備えてもよい。記憶部５Ｂは、制御プログラムを記憶している。プロセッサー５Ａは、制御プログラムを実行することによって各種機能部として機能する。
【００２３】
タッチパネル４１と制御部５とは、「表示制御装置」を構成する。
【００２４】
次に、図１〜図３を参照して、本発明の実施形態に係る制御部５の構成について説明する。図３は、制御部５の構成を示す図である。図３に示すように、制御部５は、読取部５０１、受付部５０２、表示部５０３及び指示部５０４を備える。具体的には、プロセッサー５Ａが、制御プログラムを実行することによって、読取部５０１、受付部５０２、表示部５０３及び指示部５０４として機能する。
【００２５】
読取部５０１は、画像読取ユニット２を介して原稿Ｒに形成された画像を読み込んで画像情報ＭＪを生成する。本発明の実施形態では、原稿Ｒの片面に画像が形成されている場合について説明する。具体的には、読取部５０１は、１枚目の原稿Ｒに形成された画像を読み込んで第１画像情報Ｍ１Ｊを生成する。また、読取部５０１は、２枚目の原稿Ｒに形成された画像を読み込んで第２画像情報Ｍ２Ｊを生成する。
【００２６】
受付部５０２は、タッチパネル４１を介して、「所定の操作」を受け付ける。「所定の操作」は、例えば、長押し操作ＯＰである。
【００２７】
表示部５０３は、表面プレビュー画像ＰＶＵをディスプレー４１１に表示する。表面プレビュー画像ＰＶＵは、用紙Ｐの表面に形成される表面画像ＭＵを示す。表面画像ＭＵは、第１画像情報Ｍ１Ｊに対応する。
【００２８】
また、長押し操作ＯＰを受付部５０２が受け付けた場合に、表示部５０３は、表面プレビュー画像ＰＶＵに換えて、裏面プレビュー画像ＰＶＤをディスプレー４１１に表示する。裏面プレビュー画像ＰＶＤは、用紙Ｐの裏面に形成される裏面画像ＭＤを示す。裏面画像ＭＤは、第２画像情報Ｍ２Ｊに対応する。
【００２９】
指示部５０４は、画像形成ユニット１に対して、用紙Ｐの表面に表面画像ＭＵを形成し、用紙Ｐの裏面に裏面画像ＭＤを形成するよう指示する。
【００３０】
以上、図１〜図３を参照して説明したように、本発明の実施形態では、長押し操作ＯＰを受付部５０２が受け付けた場合に、表示部５０３は、表面プレビュー画像ＰＶＵに換えて、裏面プレビュー画像ＰＶＤをディスプレー４１１に表示する。よって、ユーザーは、表面プレビュー画像ＰＶＵと裏面プレビュー画像ＰＶＤとを別々に確認できる。したがって、用紙Ｐの両面に画像を形成する場合に、表面プレビュー画像ＰＶＵと裏面プレビュー画像ＰＶＤとを確認することによって、ユーザーが意図した仕上がりになるか否かを判断できる。
【００３１】
本発明の実施形態では、「所定の操作」は長押し操作ＯＰであるが、本発明はこれに限定されない。「所定の操作」が、ユーザーによる操作であればよい。例えば、「所定の操作」が強押し操作である形態でもよい。
【００３２】
また、本発明の実施形態では、表面画像ＭＵが第１画像情報Ｍ１Ｊに対応し、裏面画像ＭＤが第２画像情報Ｍ２Ｊに対応するが、本発明はこれに限定されない。表面画像ＭＵが用紙Ｐの表面に形成され、裏面画像ＭＤが用紙Ｐの裏面に形成されればよい。例えば、表面画像ＭＵ及び裏面画像ＭＤの少なくとも一方が、画像形成装置１００が外部装置から読込んだ画像情報ＭＪに対応する形態でもよい。外部装置は、例えば、画像形成装置１００と通信可能に接続されたパーソナルコンピューターである。
【００３３】
次に、図１〜図４を参照して、制御部５の構成について更に説明する。図４は、プレビュー画面６００の一例を示す図である。図４（ａ）は、表面プレビュー画像ＰＶＵの一例を示す画面図である。図４（ｂ）は、裏面プレビュー画像ＰＶＤの一例を示す画面図である。
【００３４】
図４では、２枚の原稿Ｒを読み込んで２つの画像情報を生成する場合について説明する。具体的には、読取部５０１は、１枚目の原稿Ｒに形成された画像を読み込んで第１画像情報Ｍ１Ｊを生成する。また、読取部５０１は、２枚目の原稿Ｒに形成された画像を読み込んで第２画像情報Ｍ２Ｊを生成する。そして、第１画像情報Ｍ１Ｊに対応する表面画像ＭＵが、用紙Ｐの表面に形成され、第２画像情報Ｍ２Ｊに対応する裏面画像ＭＤが用紙Ｐの裏面に形成される。
【００３５】
図４（ａ）に示すように、プレビュー画面６００には、表面プレビュー画像６０１が表示されている。表面プレビュー画像６０１は、ページ数画像６０２と、原稿画像６０３とを含む。
【００３６】
ページ数画像６０２は、「１」を示す画像であり、１枚目の原稿Ｒの画像に対応することを示す。原稿画像６０３は、タイトルが「Ｓｐｒｉｎｇ」である。原稿画像６０３は、表面画像ＭＵの一例に相当する。
【００３７】
また、表面プレビュー画像６０１に対して、ユーザーが、例えば手Ｈの人差し指で長押し操作ＯＰを行うと、受付部５０２が、長押し操作ＯＰを受け付ける。そして、表示部５０３は、表面プレビュー画像ＰＶＵに換えて、裏面プレビュー画像ＰＶＤをディスプレー４１１に表示する。なお、裏面プレビュー画像ＰＶＤは、用紙Ｐの表面側から用紙Ｐを透かして裏面画像ＭＤを見た画像を示す。
【００３８】
その結果、図４（ｂ）に示すように、プレビュー画面６００には、裏面プレビュー画像６１１が表示されている。裏面プレビュー画像６１１は、裏面プレビュー画像ＰＶＤの一例に相当する。裏面プレビュー画像６１１は、ページ数画像６１２と、原稿画像６１３とを含む。
【００３９】
ページ数画像６１２は、「２」を示す画像であり、２枚目の原稿Ｒの画像に対応することを示す。原稿画像６１３は、タイトルが「Ｓｕｍｍｅｒ」である。原稿画像６１３は、裏面画像ＭＤの一例に相当する。
【００４０】
裏面プレビュー画像６１１は、用紙Ｐの表面側から用紙Ｐを透かして裏面画像ＭＤを見た画像であるため、ページ数画像６１２及び原稿画像６１３は、いわゆる「鏡像文字」を示す。「鏡像文字」とは、通常の文字に対して、上下はそのままで左右を反転させた文字である。また、裏面プレビュー画像６１１では、文字が「鏡像文字」であると共に、配置も鏡像的である。具体的には、裏面プレビュー画像６１１は、裏面画像ＭＤを上下はそのままで左右を反転させた画像を示す。
【００４１】
また、ユーザーが、例えば手Ｈの人差し指を裏面プレビュー画像６１１から離すと、受付部５０２が、長押し操作ＯＰの終了を受け付ける。そして、表示部５０３は、裏面プレビュー画像ＰＶＤに換えて、表面プレビュー画像ＰＶＵをディスプレー４１１に表示する。その結果、プレビュー画面６００には、図４（ａ）に示す表面プレビュー画像６０１が表示される。
【００４２】
以上、図１〜図４を参照して説明したように、本発明の実施形態では、裏面プレビュー画像ＰＶＤは、用紙Ｐの表面側から用紙Ｐを透かして裏面画像ＭＤを見た画像を示す。よって、用紙Ｐの両面に画像を形成する場合に、裏面画像ＭＤが用紙Ｐに形成される状態を確認できる。したがって、ユーザーが意図した仕上がりになるか否かを正確に判断できる。例えば、ユーザーが用紙Ｐの左端にステープル処理を施す場合に、ステープル処理を施すスペースが確保されているか否かを確認できる。
【００４３】
また、受付部５０２は、所定の操作として、タッチセンサー４１２を介して長押し操作ＯＰを受け付ける。よって、ユーザーは、長押し操作ＯＰを行うことによって、裏面プレビュー画像ＰＶＤを確認できる。したがって、裏面プレビュー画像ＰＶＤを容易に確認できる。
【００４４】
更に、長押し操作ＯＰの終了を受付部５０２が受け付けた場合に、表示部５０３が表面プレビュー画像ＰＶＵをディスプレー４１１に表示する。よって、ユーザーは、長押し操作ＯＰを終了することによって、表面プレビュー画像ＰＶＵをディスプレー４１１に表示できる。したがって、表面プレビュー画像ＰＶＵ及び裏面プレビュー画像ＰＶＤを容易に確認できる。
【００４５】
本発明の実施形態では、長押し操作ＯＰの終了を受付部５０２が受け付けた場合に、表示部５０３が裏面プレビュー画像ＰＶＤに換えて表面プレビュー画像ＰＶＵをディスプレー４１１に表示するが、本発明はこれに限定されない。受付部５０２が何等かの操作を受け付けた場合に、表示部５０３が裏面プレビュー画像ＰＶＤに換えて、表面プレビュー画像ＰＶＵをディスプレー４１１に表示すればよい。受付部５０２が受け付ける操作は、長押し操作ＯＰでもよいし、他の操作でもよい。
【００４６】
次に、図１〜図５を参照して、制御部５の構成について更に説明する。図５は、プレビュー画面７００の一例を示す図である。図５（ａ）は、表面プレビュー画像ＰＶＵの一例を示す画面図である。図５（ｂ）は、表面プレビュー画像ＰＶＵ及び裏面プレビュー画像ＰＶＤの一例を示す画面図である。
【００４７】
図５では、８枚の原稿Ｒを読み込んで８つの画像情報を生成する場合について説明する。読取部５０１が１枚目、３枚目、５枚目、及び７枚目の原稿Ｒに形成された画像を読み込んで画像情報ＭＪを生成する。そして、画像情報ＭＪに対応する画像が、用紙Ｐの表面に形成される。また、読取部５０１が２枚目、４枚目、６枚目、及び８枚目の原稿Ｒに形成された画像を読み込んで画像情報ＭＪを生成する。そして、画像情報ＭＪに対応する画像が、用紙Ｐの裏面に形成される。すなわち、１枚目、３枚目、５枚目、及び７枚目の原稿Ｒの画像情報ＭＪが、表面画像ＭＵに対応し、２枚目、４枚目、６枚目、及び８枚目の原稿Ｒの画像情報ＭＪが裏面画像ＭＤに対応する。
【００４８】
１枚目の原稿Ｒに対応する表面画像ＭＵと２枚目の原稿Ｒに対応する裏面画像ＭＤとは、１枚目の用紙Ｐに形成される。３枚目の原稿Ｒに対応する表面画像ＭＵと４枚目の原稿Ｒに対応する裏面画像ＭＤとは、２枚目の用紙Ｐに形成される。５枚目の原稿Ｒに対応する表面画像ＭＵと６枚目の原稿Ｒに対応する裏面画像ＭＤとは、３枚目の用紙Ｐに形成される。７枚目の原稿Ｒに対応する表面画像ＭＵと８枚目の原稿Ｒに対応する裏面画像ＭＤとは、４枚目の用紙Ｐに形成される。
【００４９】
表示部５０３は、複数の（例えば、４個の）表面プレビュー画像ＰＶＵを所定方向Ｄ１に並べてディスプレー４１１に表示する。具体的には、表示部５０３は、表面プレビュー画像７１０、表面プレビュー画像７３０、表面プレビュー画像７５０及び表面プレビュー画像７７０を所定方向Ｄ１に並べて表示する。本発明の実施形態においては、所定方向Ｄ１は、画像が形成される順番を示す。具体的には、表示部５０３は、表面プレビュー画像ＰＶＵを画像が形成される順に、所定方向Ｄ１に沿って配置する。すなわち、表示部５０３は、１枚目の用紙Ｐ１に対応するプレビュー画像、２枚目の用紙Ｐ２に対応するプレビュー画像、３枚目の用紙Ｐ３に対応するプレビュー画像、及び４枚目の用紙Ｐ４に対応するプレビュー画像を所定方向Ｄ１に沿って順に表示する。
【００５０】
図５（ａ）に示すように、プレビュー画面７００には、表面プレビュー画像７１０、表面プレビュー画像７３０、表面プレビュー画像７５０及び表面プレビュー画像７７０が所定方向Ｄ１に並べて表示されている。表面プレビュー画像７１０は、１枚目の用紙Ｐ１の表面に形成される。表面プレビュー画像７３０は、２枚目の用紙Ｐ２の表面に形成される。表面プレビュー画像７５０は、３枚目の用紙Ｐ３の表面に形成される。表面プレビュー画像７７０は、４枚目の用紙Ｐ４の表面に形成される。
【００５１】
表面プレビュー画像７１０、表面プレビュー画像７３０、表面プレビュー画像７５０及び表面プレビュー画像７７０は、表面プレビュー画像ＰＶＵの一例に相当する。表面プレビュー画像７１０は、１枚目の原稿Ｒの画像情報ＭＪに対応する。表面プレビュー画像７３０は、３枚目の原稿Ｒの画像情報ＭＪに対応する。表面プレビュー画像７５０は、５枚目の原稿Ｒの画像情報ＭＪに対応する。表面プレビュー画像７７０は、７枚目の原稿Ｒの画像情報ＭＪに対応する。
【００５２】
表面プレビュー画像７１０は、ページ数画像７１１と、原稿画像７１２とを含む。表面プレビュー画像７３０は、ページ数画像７３１と、原稿画像７３２とを含む。表面プレビュー画像７５０は、ページ数画像７５１と、原稿画像７５２とを含む。表面プレビュー画像７７０は、ページ数画像７７１と、原稿画像７７２とを含む。
【００５３】
ページ数画像７１１は、「１」を示す画像であり、１枚目の原稿Ｒの画像情報ＭＪに対応することを示す。原稿画像７１２は、タイトルが「Ｓｐｒｉｎｇ」である。原稿画像７１２は、表面画像ＭＵの一例に相当する。
ページ数画像７３１は、「３」を示す画像であり、３枚目の原稿Ｒの画像情報ＭＪに対応することを示す。原稿画像７３２は、タイトルが「Ａｕｔｕｍｎ」である。原稿画像７３２は、表面画像ＭＵの一例に相当する。
ページ数画像７５１は、「５」を示す画像であり、５枚目の原稿Ｒの画像情報ＭＪに対応することを示す。原稿画像７５２は、タイトルが「Ｅｕｒａｓｉａ」である。原稿画像７５２は、表面画像ＭＵの一例に相当する。
ページ数画像７７１は、「７」を示す画像であり、７枚目の原稿Ｒの画像情報ＭＪに対応することを示す。原稿画像７７２は、タイトルが「Ｎｏｒｔｈ  Ａｍｅｒｉｃａ」である。原稿画像７５２は、表面画像ＭＵの一例に相当する。
【００５４】
また、表面プレビュー画像７３０に対して、ユーザーが、例えば手Ｈの人差し指で長押し操作ＯＰを行うと、受付部５０２が、長押し操作ＯＰを受け付ける。そして、表示部５０３は、表面プレビュー画像ＰＶＵに換えて、裏面プレビュー画像ＰＶＤをディスプレー４１１に表示する。
【００５５】
その結果、図５（ｂ）に示すように、プレビュー画面７００には、表面プレビュー画像７３０に換えて、裏面プレビュー画像７４０が表示されている。具体的には、裏面プレビュー画像７４０が示す裏面画像ＭＤと、表面プレビュー画像７３０が示す表面画像ＭＵとは、同一の用紙Ｐに形成される。すなわち、裏面プレビュー画像７４０が示す裏面画像ＭＤは、表面プレビュー画像７３０が示す表面画像ＭＵに対応する。裏面プレビュー画像７４０は、裏面プレビュー画像ＰＶＤの一例に相当する。裏面プレビュー画像７４０は、ページ数画像７４１と、原稿画像７４２とを含む。
【００５６】
ページ数画像７４１は、「４」を示す画像であり、４枚目の原稿Ｒの画像情報ＭＪに対応することを示す。原稿画像７４２は、タイトルが「Ｗｉｎｔｅｒ」である。原稿画像７４２は、裏面画像ＭＤの一例に相当する。ページ数画像７４１及び原稿画像７４２は、いわゆる「鏡像文字」を示す。
【００５７】
また、裏面プレビュー画像７４０に対する長押し操作ＯＰを終了すると、受付部５０２が、長押し操作ＯＰの終了を受け付ける。そして、表示部５０３は、裏面プレビュー画像７４０に換えて、裏面プレビュー画像７４０に対応する表面プレビュー画像７３０をディスプレー４１１に表示する。その結果、プレビュー画面７００には、図５（ａ）に示す表面プレビュー画像７３０が表示される。
【００５８】
以上、図１〜図５を参照して説明したように、本発明の実施形態では、表示部５０３は、複数の表面プレビュー画像ＰＶＵを所定方向Ｄ１に並べてディスプレー４１１に表示する。また、複数の表面プレビュー画像ＰＶＵのうち、いずれか１つの表面プレビュー画像ＰＶＵに対する長押し操作ＯＰを受付部５０２が受け付けた場合に、表示部５０３は、以下の処理を行う。すなわち、表示部５０３は、１つの表面プレビュー画像ＰＶＵに換えて、１つの表面プレビュー画像ＰＶＵに対応する裏面プレビュー画像ＰＶＤをディスプレー４１１に表示する。よって、複数の用紙Ｐについて、表面プレビュー画像ＰＶＵ及び裏面プレビュー画像ＰＶＤを容易に確認できる。したがって、ユーザーの利便性を向上できる。
【００５９】
本発明の実施形態では、受付部５０２が１つの表面プレビュー画像７３０に対する長押し操作ＯＰを受け付けるが、本発明はこれに限定されない。受付部５０２が少なくとも１つの表面プレビュー画像ＰＶＵに対する長押し操作ＯＰを受け付ければよい。例えば、受付部５０２が２つの表面プレビュー画像ＰＶＵ（表面プレビュー画像７３０及び表面プレビュー画像７５０）に対する長押し操作ＯＰを同時に受け付ける形態でもよい。この形態では、表面プレビュー画像７３０に対応する裏面プレビュー画像７４０と、表面プレビュー画像７５０に対応する裏面プレビュー画像７６０とを同時に確認できる。裏面プレビュー画像７６０は、６枚目の原稿Ｒの画像情報ＭＪに対応する。したがって、ユーザーの利便性を更に向上できる。
【００６０】
次に、図１〜図６を参照して、制御部５の処理について説明する。図６は、制御部５の処理の一例を示すフローチャートである。図６では、原稿Ｒが２枚である場合について説明する。
図６に示すように、まず、ステップＳ１０１において、読取部５０１が、２枚の原稿Ｒに形成された画像を読み込んで、第１画像情報Ｍ１Ｊ及び第２画像情報Ｍ２Ｊを生成する。
次に、ステップＳ１０３において、制御部５が、表面プレビュー画像ＰＶＵを生成する。表面プレビュー画像ＰＶＵは、１枚目の原稿Ｒに形成された画像に対応する。
次に、ステップＳ１０５において、制御部５が、裏面プレビュー画像ＰＶＤを生成する。裏面プレビュー画像ＰＶＤは、２枚目の原稿Ｒに形成された画像に対応する。
そして、ステップＳ１０７において、表示部５０３が、表面プレビュー画像ＰＶＵをディスプレー４１１に表示する。
【００６１】
次に、ステップＳ１０９において、受付部５０２が、長押し操作ＯＰを受け付けたか否かを判定する。
長押し操作ＯＰを受け付けていないと受付部５０２が判定した場合（ステップＳ１０９でＮＯ）には、処理がステップＳ１１７に進む。長押し操作ＯＰを受け付けたと受付部５０２が判定した場合（ステップＳ１０９でＹＥＳ）には、処理がステップＳ１１１に進む。
そして、ステップＳ１１１において、表示部５０３が、表面プレビュー画像ＰＶＵに換えて、裏面プレビュー画像ＰＶＤをディスプレー４１１に表示する。
次に、ステップＳ１１３において、受付部５０２が、長押し操作ＯＰの終了を受け付けたか否かを判定する。
長押し操作ＯＰの終了を受け付けていないと判定した場合（ステップＳ１１３でＮＯ）には、処理がステップＳ１１１に戻る。長押し操作ＯＰの終了を受け付けたと判定した場合（ステップＳ１１３でＹＥＳ）には、処理がステップＳ１１５に進む。
そして、ステップＳ１１５において、表示部５０３が、裏面プレビュー画像ＰＶＤに換えて、表面プレビュー画像ＰＶＵをディスプレー４１１に表示する。
【００６２】
次に、ステップＳ１１７において、指示部５０４が、ユーザーから印刷指示を受け付けたか否かを判定する。
ユーザーから印刷指示を受け付けていないと判定した場合（ステップＳ１１７でＮＯ）には、処理がステップＳ１０９に戻る。ユーザーから印刷指示を受け付けたと判定した場合（ステップＳ１１７でＹＥＳ）には、処理がステップＳ１１９に進む。
そして、ステップＳ１１９において、指示部５０４が、画像形成ユニット１に対して、用紙Ｐの表面に表面画像ＭＵを形成し、用紙Ｐの裏面に裏面画像ＭＤを形成するよう指示し、処理が終了する。
【００６３】
ステップＳ１０７は、「表面表示ステップ」に相当し、ステップＳ１０９は「受付ステップ」に相当し、ステップＳ１１１は、「裏面表示ステップ」に相当する。
【００６４】
以上、図１〜図６を参照して説明したように、本発明の実施形態では、用紙Ｐの両面に画像を形成する場合に、ユーザーが表面プレビュー画像ＰＶＵ及び裏面プレビュー画像ＰＶＤを容易に確認できる。したがって、ユーザーの所望する表面画像ＭＵ及び裏面画像ＭＤを用紙Ｐの両面に形成できる。
【００６５】
以上、図面を参照しながら本発明の実施形態について説明した。ただし、本発明は、上記の実施形態に限られるものではなく、その要旨を逸脱しない範囲で種々の態様において実施することが可能である（例えば、下記に示す（１）〜（４））。図面は、理解し易くするために、それぞれの構成要素を主体に模式的に示しており、図示された各構成要素の厚み、長さ、個数等は、図面作成の都合上から実際とは異なる場合がある。また、上記の実施形態で示す各構成要素の形状、寸法等は一例であって、特に限定されるものではなく、本発明の構成から実質的に逸脱しない範囲で種々の変更が可能である。
【００６６】
（１）図１〜図３を参照して説明したように、本発明の実施形態では、画像形成装置１００が表示制御装置に相当するが、本発明はこれに限定されない。表示制御装置は、ディスプレー１４１と制御部５とを備えていればよい。例えば、表示制御装置が、画像形成装置１００に通信可能に接続されたスマートフォンでもよい。また、例えば、表示制御装置が、画像形成装置１００に通信可能に接続されたパーソナルコンピューターである形態でもよい。
【００６７】
（２）図１〜図３を参照して説明したように、本発明の実施形態では、受付部５０２がタッチパネル４１を介して所定の操作を受け付けるが、本発明はこれに限定されない。受付部５０２が所定の操作を受け付ければよい。例えば、受付部５０２がマウスを介して所定の操作を受け付ける形態でもよい。また、例えば、受付部５０２がキーボードを介して所定の操作を受け付ける形態でもよい。
【００６８】
（３）図１〜図５を参照して説明したように、表示部５０３が、複数の表面プレビュー画像ＰＶＵを所定方向Ｄ１に並べて表示するが、本発明はこれに限定されない。例えば、受付部５０２がスライド操作を受け付けた場合には、表示部５０３が表示する表面プレビュー画像ＰＶＵを変更する形態でもよい。具体的には、受付部５０２が左向きのスライド操作を受け付けた場合には、表示部５０３が表面プレビュー画像ＰＶＵを次の表面プレビュー画像ＰＶＵに変更する。例えば、表面プレビュー画像７１０を表面プレビュー画像７３０に変更する。受付部５０２が右向きのスライド操作を受け付けた場合には、表示部５０３が表面プレビュー画像ＰＶＵを前の表面プレビュー画像ＰＶＵに変更する。例えば、表面プレビュー画像７３０を表面プレビュー画像７１０に変更する。
【００６９】
（４）図１〜図５を参照して説明したように、表示部５０３が、裏面プレビュー画像ＰＶＤを、上下をそのままで左右を反転させた画像で表示するが、本発明はこれに限定されない。例えば、表示部５０３が、裏面プレビュー画像ＰＶＤを、上下をそのままで左右を反転させた画像で表示している状態で、指を離さずにスワイプ操作を行うことによって、表示部５０３が、以下の処理を行う形態でもよい。すなわち、表示部５０３が、裏面プレビュー画像を、上下をそのままで左右を反転させた画像から左右を反転させない画像に変更して表示する形態でもよい。
【産業上の利用可能性】
【００７０】
本発明は、プレビュー画像をディスプレーに表示する表示制御装置、表示制御方法、及び画像形成装置に関するものであり、産業上の利用可能性を有する。
【符号の説明】
【００７１】
１００    画像形成装置
１    画像形成ユニット（画像形成部）
２    画像読取ユニット
３    原稿搬送ユニット
４    操作表示部
４１    タッチパネル（表示制御装置の一部）
４１１    ディスプレー４１１
４１２    タッチセンサー
５    制御部（表示制御装置の一部）
５Ａ    プロセッサー
５Ｂ    記憶部
５０１    読取部
５０２    受付部
５０３    表示部
５０４    指示部
Ｄ１    所定方向
ＭＵ    表面画像
ＭＤ    裏面画像
ＯＰ    長押し操作（所定の操作）
Ｐ、Ｐ１、Ｐ２、Ｐ３、Ｐ４    用紙
ＰＶＵ    表面プレビュー画像
ＰＶＤ    裏面プレビュー画像
【図１】
2018158500.tif 000003
【図２】
2018158500.tif 000004
【図３】
2018158500.tif 000005
【図４】
2018158500.tif 000006
【図５】
2018158500.tif 000007
【図６】
2018158500.tif 000008